(57)【要約】【課題】異なる蓋が取り付け可能で、組立時に各蓋に対応したばねの誤用が防止できる。【解決手段】筐体３１上部に設けた上部枠体３０と、上部枠体３０に設けた衣類投入口４８と、上部枠体３０に軸支され衣類投入口４８を開閉自在に覆う蓋４０と、蓋４０が所定の開閉角度になると開方向または閉方向に弾性力を生じるばね部材４６と、上部枠体３０に設けらればね部材４６を取り付けるばね保持部４４とを備え、ばね部材４６は、所定の開閉角度に応じて形状が異なり、ばね保持部４４は、ばね部材４６の形状に対応して複数個設けたことにより、重量の異なる蓋に対して、それぞれに対応したばね部材を使用して蓋の開閉動作の補助を適切に行い、また、ばね部材の誤用を防止し、作業性良く組み立てることができる。【選択図】図３
2014183891.tif 000002
【特許請求の範囲】
【請求項１】
筐体上部に設けた上部枠体と、
前記上部枠体に設けた衣類投入口と、
前記上部枠体に軸支され前記衣類投入口を開閉自在に覆う蓋と、
前記蓋が所定の開閉角度になると開方向または閉方向に弾性力を生じるばね部材と、
前記上部枠体に設けられ前記ばね部材を取り付けるばね保持部とを備え、
前記ばね部材は、
前記所定の開閉角度に応じて形状が異なり、
前記ばね保持部は、
前記ばね部材の形状に対応して複数個設けたことを特徴とする洗濯機。
【請求項２】
前記ばね保持部は、
前記上部枠体の後部左側および後部右側に設けられ、
それぞれの前記ばね保持部に取り付けられる前記ばね部材の形状を異なるようにした請求項１に記載の洗濯機。
【発明の詳細な説明】
【技術分野】
【０００１】
本発明は、上面の衣類投入口を開閉自在に覆う蓋を有する洗濯機に関するものである。
【背景技術】
【０００２】
従来、この種の洗濯機は、蓋の開閉動作を補助し、蓋を開状態と閉状態に保持するために、蓋と本体固定側との間にばね部材を設ける構成が提案されている（例えば、特許文献１参照）。
【０００３】
図８は従来の洗濯機の外観斜視図、図９は、同、洗濯機の要部縦断面図である。
【０００４】
図８、図９において、筐体１２は、安全スイッチ（図示せず）や水位検知スイッチ（図示せず）等を取り付けており、製品組み立て時に作業しやすく、また、部品交換等のサービス時に作業しやすいように、後部上面を開放し、パネル１３で覆うようにしている。また、筐体１２には、軸部１４を設け、筐体１２の略中央部に設けた衣類投入口などの開口部（図示せず）を開閉自在に覆う蓋１５に軸部１６を構成しており、蝶番軸１７にて嵌合している。
【０００５】
ばね部材１８は、蓋１５を開状態と閉状態に保持するもので、ばね部材１８の固定側１８ａは筐体１２に設けたばね部材押え部１９に保持し、可動側１８ｂを蓋１５のストッパー部２０の近傍に設けたばね部材差し込み穴２１に差し込むよう構成している。ストッパー部２０は蓋１５が開状態の時、筐体１２に設けたストッパー当て部２２に当接し、蓋１５の開角度を規制するものである。
【０００６】
また、近年では、嗜好や価値観の多様化により、ガラス板や装飾部品を用いた重量の重い蓋や、樹脂部品で簡素化した重量の軽い蓋などを設け、製品グレードの違いを出して品揃えをしている。この場合、製造原価を低減するため、蓋以外の部品を共用化し、例えば、重量の異なる蓋に対し、蓋の開閉動作を補助し、蓋を開状態と閉状態に保持するために設けたばね部材を共用化している。
【先行技術文献】
【特許文献】
【０００７】
【特許文献１】特開２００３−３２６０９２号公報
【発明の概要】
【発明が解決しようとする課題】
【０００８】
しかしながら、前記従来の構成では、ばね部材を共用化したために、蓋の開閉動作の補助や、開状態、閉状態の保持が、重量の異なる蓋に対して適切に行なわれないという課題があった。また、重量に合わせて、ばね部材を数種類準備した場合には、組み立て間違いを起こしやすいという課題があった。
【０００９】
本発明は、前記従来の課題を解決するもので、重量の異なる蓋に対して、それぞれに対応したばね部材を使用して蓋の開閉動作の補助を適切に行い、また、ばね部材を間違えずに作業性良く組み立てることができる洗濯機を提供することを目的とする。
【課題を解決するための手段】
【００１０】
前記従来の課題を解決するために、本発明の洗濯機は、筐体上部に設けた上部枠体と、前記上部枠体に設けた衣類投入口と、前記上部枠体に軸支され前記衣類投入口を開閉自在に覆う蓋と、前記蓋が所定の開閉角度になると開方向または閉方向に弾性力を生じるばね部材と、前記上部枠体に設けられ前記ばね部材を取り付けるばね保持部とを備え、前記ばね部材は、前記所定の開閉角度に応じて形状が異なり、前記ばね保持部は、前記ばね部材の形状に対応して複数個設けたものである。
【００１１】
これによって、重量の異なる蓋に対して、それぞれに対応したばね部材を使用して蓋の開閉動作の補助を適切に行い、また、ばね部材の誤用を防止し、作業性良く組み立てることができる。
【発明の効果】
【００１２】
本発明の洗濯機は、重量の異なる蓋に対して、それぞれに対応したばね部材を使用して蓋の開閉動作の補助を適切に行い、また、ばね部材の誤用を防止し、作業性良く組み立てることができる。
【図面の簡単な説明】
【００１３】
【図１】本発明の実施の形態における洗濯機の縦断面図
【図２】同洗濯機の洗濯機のグレードＡの蓋を取り付けた状態を示す上面図
【図３】同洗濯機のグレードＡの蓋の要部平面図
【図４】図３のＡ−Ａ断面における同洗濯機のグレードＡの蓋の要部縦断面図
【図５】同洗濯機のグレードＢの蓋を取り付けた状態を示す上面図
【図６】同洗濯機のグレードＢの蓋の要部平面図
【図７】図６のＢ−Ｂ断面における同洗濯機のグレードＢの蓋の要部縦断面図
【図８】従来の洗濯機の外観斜視図
【図９】同洗濯機の要部縦断面図
【発明を実施するための形態】
【００１４】
第１の発明は、筐体上部に設けた上部枠体と、前記上部枠体に設けた衣類投入口と、前記上部枠体に軸支され前記衣類投入口を開閉自在に覆う蓋と、前記蓋が所定の開閉角度になると開方向または閉方向に弾性力を生じるばね部材と、前記上部枠体に設けられ前記ばね部材を取り付けるばね保持部とを備え、前記ばね部材は、前記所定の開閉角度に応じて形状が異なり、前記ばね保持部は、前記ばね部材の形状に対応して複数個設けたことにより、重量の異なる蓋に対して、それぞれに対応したばね部材を使用して蓋の開閉動作の補助を適切に行い、また、ばね部材を間違えずに作業性良く組み立てることができる。
【００１５】
第２の発明は、特に、第１の発明のばね保持部は、前記上部枠体の後部左側および後部右側に設けられ、それぞれの前記ばね保持部に取り付けられる前記ばね部材の形状を異なるようにしたことにより、簡単な構造で、ばね部材の組み立て間違いが防止でき、製造原価を低減することができる。
【００１６】
以下、発明の実施の形態について、図面を参照しながら説明する。また、この実施の形態によって本発明が限定されるものではない。
【００１７】
（実施の形態１）
図１は、本発明の実施の形態における洗濯機の縦断面図である。
【００１８】
図１において、筐体３１は、内部に複数のサスペンション３２によって外槽３３を弾性的に吊り下げている。洗濯・脱水軸３４は中空で２軸構造としている。洗濯兼脱水槽３５は側壁に多数の脱水孔（図示せず）を有するとともに、内周の上部に振動低減用の流体バランサ３６を有し、中央底部には外周を傾斜面としたナベ型の形状に形成した衣類攪拌用のパルセータ３７が配設されている。
【００１９】
伝達機構部３８は、内部に洗濯時の減速ギア（図示せず）を内蔵している。モータ３９は外槽３３の底部に取り付けられ、伝達機構部３８を介し、パルセータ３７、及び洗濯兼脱水槽３５を回転させる。
【００２０】
筐体３１の上部には、上部枠体３０を設け、上部枠体３０の前部には、各種の入力設定を行ない、設定内容を表示する操作表示部４２を配設している。操作表示部４２の内方には、制御装置４３が設けられている。上部枠体３０の後部には、後述するばね部材４６などの部品が取り付けられ、その部分を覆うようにパネル４１が設けられている。
【００２１】
また、上部枠体３０の略中央部には衣類投入口４８が形成され、その衣類投入口４８を覆うように蓋４０が開閉自在に設けられている。
【００２２】
図２は、本発明の実施の形態における洗濯機のグレードＡの蓋を取り付けた状態を示す上面図、図３は、同洗濯機のグレードＡの蓋の要部平面図、図４は、図３のＡ−Ａ断面における同洗濯機のグレードＡの蓋の要部縦断面図である。
【００２３】
図２、図３、図４において、蓋４０は、軸部４７にて上部枠体３０に軸支されている。上部枠体３０の後部右側には、ばね保持部４４が形成され、このばね保持部４４と蓋４０に設けた蓋側ばね保持部４５との間にばね部材４６が取り付けられ、蓋４０の開閉動作の補助、および蓋４０を開状態あるいは閉状態に保持する。この時、ばね部材４６は、ばね保持部４４に上方より嵌合され、蓋側ばね保持部４５には横方より差し込まれて取り付けられている。
【００２４】
蓋４０を開く場合、蓋４０が反転角度と呼ばれる所定の開閉角度に到達すると、蓋４０を開く方向にばね部材４６の弾性力が作用し、蓋の開動作を補助する。また、蓋４０を閉める場合、蓋４０が反転角度と呼ばれる所定の開閉角度に到達すると、蓋４０を閉める方向にばね部材４６の弾性力が作用し、蓋の閉動作を補助する。このように、ばね部材は、蓋が所定の開閉角度になると開方向または閉方向に弾性力を生じる。グレードＡの蓋の重量は軽く、例えば、所定の開閉角度を３１°と設定し、ばね部材４６をこの開閉角度に応じて動作するように形状を規定することで、蓋の開閉動作の補助を適切に行うことができる。
【００２５】
図５は、本発明の実施の形態における洗濯機のグレードＢの蓋を取り付けた状態を示す上面図、図６は、同洗濯機のグレードＢの蓋の要部平面図、図７は、図６のＢ−Ｂ断面における同洗濯機のグレードＢの蓋の要部縦断面図である。
【００２６】
図５、図６、図７において、蓋５０には透明なガラス６１が設けられており、洗濯兼脱水槽３５内部の洗濯物の様子を確認できるようにしている。製造原価を低減するため、蓋５０と蓋５０を洗濯機本体側に固定するためのばね部材を含む関連部材以外は、グレードＡと洗濯機の部品を共用化している。
【００２７】
蓋５０は、軸部５７にて上部枠体３０に軸支されている。上部枠体３０の後部左側には、ばね保持部５４が形成され、このばね保持部５４と蓋５０に設けた蓋側ばね保持部５５との間にばね部材５６が取り付けられ、蓋５０の開閉動作の補助、および蓋５０を開状態あるいは閉状態に保持する。この時、ばね部材５６は、ばね保持部５４に上方より嵌合され、蓋側ばね保持部５５には横方より差し込まれて取り付けられている。
【００２８】
蓋５０を開く場合、蓋５０が反転角度と呼ばれる所定の開閉角度に到達すると、蓋５０を開く方向にばね部材５６の弾性力が作用し、蓋の開動作を補助する。また、蓋５０を閉める場合、蓋５０が反転角度と呼ばれる所定の開閉角度に到達すると、蓋５０を閉める方向にばね部材５６の弾性力が作用し、蓋の閉動作を補助する。このように、ばね部材は、蓋が所定の開閉角度になると開方向または閉方向に弾性力を生じる。グレードＢの蓋の重量は重く、例えば、所定の開閉角度を１２°と設定し、ばね部材５６をこの開閉角度に応じて動作するように形状を規定することで、蓋の開閉動作の補助を適切に行うことができる。蓋の重量が軽い場合に比べて反転角度を小さく設定するのは、開動作の場合には、重量が重いため開動作即ち引き上げ動作の補助を早いタイミングで行なえるようにするためである。
【００２９】
このように、蓋が所定の開閉角度になると開方向または閉方向に弾性力を生じるばね部材をねじりコイルばねで例示したが、ばね部材４６およびばね部材５６は、蓋の重量や、反転角度に応じて適切に作用するように、例えば、ばね定数や、ばねの腕の長さを適宜設定し、ばねの形状を規定する。
【００３０】
また、ばね保持部は、ばね部材の形状に対応して設けられており、ばね保持部４４にはばね部材４６を取り付けることは可能であるが、ばね部材５６を取り付けることはできず、ばね保持部５４にはばね部材５６を取り付けることは可能であるが、ばね部材４６を取り付けることはできない。このように、ばね保持部をばね部材の形状に対応して複数個設けたことにより、洗濯機の組立時におけるばね部材５６の誤用を簡単な構造で防止することができる。
【００３１】
また、ばね部材５６は、ばねの巻方向をばね部材４６とは逆方向に規定することで、ばね部材の誤用を防止することもできる。
【産業上の利用可能性】
【００３２】
以上のように、本発明にかかる洗濯機は、重量の異なる蓋に対して、それぞれに対応したばね部材を使用して蓋の開閉動作の補助を適切に行い、また、ばね部材の誤用を防止し、作業性良く組み立てることができるので、蓋を有する他の電化機器の用途に適用できる。
【符号の説明】
【００３３】
３０  上部枠体
３１  筐体
４０、５０  蓋
４４、５４  ばね保持部
４６、５６  ばね部材
４８  衣類投入口
【図１】
2014183891.tif 000003
【図２】
2014183891.tif 000004
【図３】
2014183891.tif 000005
【図４】
2014183891.tif 000006
【図５】
2014183891.tif 000007
【図６】
2014183891.tif 000008
【図７】
2014183891.tif 000009
【図８】
2014183891.tif 000010
【図９】
2014183891.tif 000011